(57)【要約】【課題】色覚異常者にも識別可能な画像表示を行うことができ、使用者が色覚異常であるか否かを的確に判別できるプロジェクタを提供する。【解決手段】スクリーン上に表示された色覚判別のためのパターン画像に従って、使用者が判別モードスイッチ９１を操作することにより、使用者の色覚障害の有無等が判別される。使用者の色覚障害が確認されると、画像処理部５２は、適応する画像情報の変換データを色変換データ格納部５５から読み出し、確定した判別に応じた画像に切り替える色変換処理を行う。これにより、色変換がなされ、色彩調整された画像投影が行われる。【選択図】図２
2008042517.tif 000002
【特許請求の範囲】
【請求項１】
光源と、
前記光源から射出された光束を画像情報に応じて変調する光変調装置と、
前記光変調装置を経た像光を投射する投射光学系と、
色の変換を伴う色彩調整を行うことにより、前記投射光学系により投影されるべき画像を色覚異常者にとって識別可能な画像に切り替える色変換手段と、
を備えるプロジェクタ。
【請求項２】
前記色変換手段は、前記光変調装置を駆動するための信号に対して信号処理を施すことによって、前記色覚異常者に対応する混同色線に基づいた色座標の変換を実行して前記色彩調整を行う請求項１記載のプロジェクタ。
【請求項３】
前記色変換手段は、異なる２色の色座標において、基本原色の色座標と前記異なる２色の色座標とにより特定される前記混同色線に対して所定の閾値以上離間するように前記異なる２色の色座標のうち少なくとも一方を変換し、新規色座標を設定することにより前記色彩調整を行う請求項２記載のプロジェクタ。
【請求項４】
前記色変換手段は、前記色覚異常者の色情報欠損の種別に対応して前記色彩調整を行う請求項１から請求項３のいずれか一項記載のプロジェクタ。
【請求項５】
光源と、
前記光源から射出された光束を画像情報に応じて変調する光変調装置と、
前記光変調装置を経た像光を投射する投射光学系と、
前記光変調装置を駆動するための信号に対して信号処理を施すことによって、色覚障害の有無を判別するためのパターン画像を前記投射光学系に投影させ、色覚判別を可能にする色覚判別手段と、
を備えるプロジェクタ。
【請求項６】
前記色覚判別手段は、非色覚異常者のみ識別可能なパターン画像を前記投射光学系に投影させることにより前記色覚判別を可能にする請求項５記載のプロジェクタ。
【請求項７】
前記色覚判別手段は、色覚異常者のみ識別可能なパターン画像を前記投射光学系に投影させることにより前記色覚判別を可能にする請求項５記載のプロジェクタ。
【請求項８】
前記色覚判別手段は、前記パターン画像をスクロールさせ、前記パターン画像の見え方の差異により前記色覚判別を可能にする請求項５から請求項７のいずれか一項記載のプロジェクタ。
【発明の詳細な説明】
【技術分野】
【０００１】
本発明は、所謂色覚障害を有する色覚異常者に対応したカラー画像表示を行うプロジェクタに関する。
【背景技術】
【０００２】
人間の網膜にある３種類の錐体細胞は、それぞれ赤、緑、青を感じる視物質を有しており、このいずれかの機能が損なわれた状態は、「色覚障害」等と呼ばれる。色覚異常者は、このような色覚障害により、特定の色領域について色の区別がし難い場合がある。
【０００３】
色の区別がし難い場合の対応を行うものとして、ブラウザにより表示されるＷｅｂページでの色の組み合わせがコンピュータのユーザ（特に色覚障害のある人）にとって区別し難い場合に、画面上表示されるテキストとバックグラウンドについて新しい色の組み合わせを適用するものが知られている（特許文献１参照）。
【０００４】
尚、上述した色の識別がし難い所謂「色覚障害」等の呼称については、様々な言葉が用いられるが、本願発明においては、「色覚障害」又は「色覚異常」を用いるものとする。
【特許文献１】特許３６６４４７０号公報
【発明の開示】
【発明が解決しようとする課題】
【０００５】
しかしながら、プロジェクタを用いてカラー画像表示を行う場合において、色覚障害により発生する特定の色領域について色の識別がし難い状況が発生する際、これに対応させる技術は存在しない。即ち、プロジェクタによって形成される画像は、テキストとバックグラウンドとによって構成されるものではなく、ブラウザの技術をそのまま転用することはできない。また、このような場合に、プロジェクタの使用者が色覚異常であるか否か、又、色覚異常であれば、どの種類の色覚障害であるかを判別することも考慮されていない。
【０００６】
そこで、本発明は、色覚異常者にも識別可能な画像表示を行うことができ、使用者が色覚異常であるか否かを的確に判別できるプロジェクタを提供することを目的とする。
【課題を解決するための手段】
【０００７】
上記課題を解決するために、本発明に係る第１のプロジェクタは、（ａ）光源と、（ｂ）光源から射出された光束を画像情報に応じて変調する光変調装置と、（ｃ）光変調装置を経た像光を投射する投射光学系と、（ｄ）色の変換を伴う色彩調整を行うことにより、投射光学系により投影されるべき画像を色覚異常者にとって識別可能な画像に切り替える色変換手段とを備える。
【０００８】
上記プロジェクタでは、色変換手段の色彩調整により通常の画像を色覚異常者にとって識別可能な画像に切り替えることができるので、プロジェクタによるカラー画像表示において、色覚異常者にとって色の識別がし難いという状況を回避できる。
【０００９】
また、本発明の具体的な態様として、色変換手段が、光変調装置を駆動するための信号に対して信号処理を施すことによって、色覚異常者に対応する混同色線に基づいた色座標の変換を実行して色彩調整を行う。この場合、色覚異常によりほとんど区別できない混同色の集合を色度図上に示す混同色線に基づいて色座標の変換を行うので、当該色座標の変換による色変換がなされた画像は、色覚異常者にとって識別可能なものとなる。尚、色座標の変換は、予め変換テーブル又は換算式を用意し、これに基づいて適宜変換を行うことができる。
【００１０】
また、本発明の具体的な態様として、色変換手段が、異なる２色の色座標において、基本原色の色座標と異なる２色の色座標とにより特定される混同色線に対して所定の閾値以上離間するように異なる２色の色座標のうち少なくとも一方を変換し、新規色座標を設定することにより色彩調整を行う。この場合、当該色彩調整により、色覚異常者にとって混同する可能性のある投影画面上隣接する異なる２色について、特定の混同色線を基準として所定の閾値以上離間した状態となる新規色座標に対応する色に置換することができる。これにより、色覚異常者は、当該異なる２色に対応して新に設定される色により投影画像の識別が可能となる。
【００１１】
また、本発明の具体的な態様として、色変換手段が、色覚異常者の色情報欠損の種別に対応して色彩調整を行う。この場合、色覚異常者の異常の種別に対応じた色彩調整ができる。
【００１２】
本発明に係る第２のプロジェクタは、（ａ）光源と、（ｂ）光源から射出された光束を画像情報に応じて変調する光変調装置と、（ｃ）光変調装置を経た像光を投射する投射光学系と、（ｄ）光変調装置を駆動するための信号に対して信号処理を施すことによって、色覚障害の有無を判別するためのパターン画像を投射光学系に投影させ、色覚判別を可能にする色覚判別手段とを備える。
【００１３】
上記プロジェクタでは、色覚判別手段が投射光学系により色覚障害の有無を判別するためのパターン画像を投影させるので、当該パターン画像を利用してプロジェクタの使用者が色覚異常であるか否かを的確に判別することが可能である。
【００１４】
また、本発明の具体的な態様として、色覚判別手段が、非色覚異常者のみ識別可能なパターン画像を投射光学系に投影させることにより色覚判別を可能にする。この場合、当該パターン画像を認識できるか否かにより、被験者の色覚障害の有無を判別することができる。
【００１５】
また、本発明の具体的な態様として、色覚判別手段が、色覚異常者のみ識別可能なパターン画像を投射光学系に投影させることにより色覚判別を可能にする。この場合、当該パターン画像を認識できるか否かにより、被験者の色覚障害の有無を判別することができる。また、特に、この場合、色覚異常でない者があたかも色覚異常者であるかのように振舞うことを看破できる。
【００１６】
また、本発明の具体的な態様として、色覚判別手段が、パターン画像をスクロールさせ、パターン画像の見え方の差異により色覚判別を可能にする。この場合、パターン画像の見え方の差を利用して被験者の色覚障害の有無等を一義的に判別することができる。
【発明を実施するための最良の形態】
【００１７】
〔第１実施形態〕
図１は、第１実施形態に係るプロジェクタについて説明するための概念図である。本実施形態におけるプロジェクタ１０は、光源装置２０と、照明光学系３０と、色分離光学系４０と、光変調装置６０と、合成光学系であるクロスダイクロイックプリズム７０と、投射光学系である投射レンズ８０と、プロジェクタ１０の機構を統括して制御する制御装置５０と、リモートコントローラ９０とを備える。
【００１８】
光源装置２０は、光源２１と、リフレクタ２２と、平行化レンズ２３とを備える。光源２１は、例えば、高圧水銀ランプなどであり、像光形成の必要に足る光量を有し、また、複数色のカラー表示が可能な波長帯の光を含む略白色の光源光を発生する。リフレクタ２２は、当該光源光を反射により所定の光路方向に折り曲げる凹の反射面を有する。平行化レンズ２３は、光源光の光束方向を平行化する。
【００１９】
照明光学系３０は、一対のフライアイレンズである第１、第２フライアイレンズ３１、３２と、偏光変換素子３４と、重畳レンズ３５とを備える。第１、第２フライアイレンズ３１、３２は、光を一旦分割して重畳し、偏光変換素子３４は、光の偏光方向を揃える。重畳レンズ３５は、両フライアイレンズ３１、３２を経た光を重畳させる。これらにより均一化された照明光が形成される。より具体的には、第１、第２フライアイレンズ３１、３２は、それぞれマトリックス状に配置された複数の要素レンズからなり、これらの要素レンズによって平行化レンズ２３を経た光を分割して個別に集光・発散させる。偏光変換素子３４は、ＰＢＳアレイで形成されており、第１フライアイレンズ３１により分割された各部分光束の偏光方向を一方向の直線偏光に揃える役割を有する。重畳レンズ３５は、偏光変換素子３４を経た照明光を全体として適宜収束させて、後段の各色の光変調装置である液晶ライトバルブ６０ｂ、６０ｇ、６０ｒに対する重畳照明を可能にする。
【００２０】
色分離光学系４０は、第１及び第２ダイクロイックミラー４１ａ、４１ｂと、反射ミラー４２ａ、４２ｂ、４２ｃと、３つのフィールドレンズ４３ｂ、４３ｇ、４３ｒとを備える。色分離光学系４０は、照明光学系３０により形成された照明光を青（Ｂ）、緑（Ｇ）及び赤（Ｒ）の３色に分離するとともに、各色光を後段の液晶ライトバルブ６０ｂ、６０ｇ、６０ｒへ導く。より詳しく説明すると、まず、第１ダイクロイックミラー４１ａは、ＲＧＢの３色のうち青光ＬＢを反射し緑光ＬＧ及び赤光ＬＲを透過させる。また、第２ダイクロイックミラー４１ｂは、ＧＲの２色のうち緑光ＬＧを反射し赤光ＬＲを透過させる。次に、この色分離光学系４０において、第１ダイクロイックミラー４１ａで反射された青光ＬＢは、反射ミラー４２ａを経て入射角度を調節するためのフィールドレンズ４３ｂに入射する。また、第１ダイクロイックミラー４１ａを透過し、第２ダイクロイックミラー４１ｂで反射された緑光ＬＧは、入射角度を調節するためのフィールドレンズ４３ｇに入射する。さらに、第１及び第２ダイクロイックミラー４１ａ、４１ｂをともに通過した赤光ＬＲは、リレーレンズ４５、４６及び反射ミラー４２ｂ、４３ｒを経て入射角度を調節するためのフィールドレンズ４３ｒに入射する。
【００２１】
光変調装置６０は、入射した照明光の空間的強度分布を変調する非発光型の液晶ライトバルブ６０ｂ、６０ｇ、６０ｒを備える。各液晶ライトバルブ６０ｂ、６０ｇ、６０ｒのうち、液晶ライトバルブ６０ｂは、色分離光学系４０から射出された各色光のうち青光ＬＢにより照明される液晶パネル６１ｂと、液晶パネル６１ｂの入射側及び射出側にそれぞれ配置される一組の偏光フィルタ６２ｂとを備える。同様に、液晶ライトバルブ６０ｇは、色分離光学系４０から射出された緑光ＬＧにより照明される液晶パネル６１ｇと、液晶パネル６１ｇの入射側及び射出側にそれぞれ配置される一組の偏光フィルタ６２ｇとを備え、液晶ライトバルブ６０ｒは、色分離光学系４０から射出された赤光ＬＲにより照明される液晶パネル６１ｒと、液晶パネル６１ｒの入射側及び射出側にそれぞれ配置される一組の偏光フィルタ６２ｒとを備える。
【００２２】
各液晶パネル６１ｂ、６１ｇ、６１ｒは、入射した照明光の空間的強度分布を変調し、各液晶パネル６１ｂ、６１ｇ、６１ｒにそれぞれ入射した３色の光は、各液晶パネル６１ｂ、６１ｇ、６１ｒに電気的信号として入力された駆動信号或いは画像信号に応じて変調される。この際、偏光フィルタ６２ｂ、６２ｇ、６２ｒによって、各液晶パネル６１ｂ、６１ｇ、６１ｒに入射する照明光の偏光方向が調整されるとともに、各液晶パネル６１ｂ、６１ｇ、６１ｒから射出される変調光から所定の偏光方向の変調光が取り出される。以上により、各液晶ライトバルブ６０ｂ、６０ｇ、６０ｒは、それぞれに対応する各色の像光を形成する。
【００２３】
クロスダイクロイックプリズム７０は、各液晶ライトバルブ６０ｂ、６０ｇ、６０ｒからの各色の像光を合成する。より詳しく説明すると、クロスダイクロイックプリズム７０は、４つの直角プリズムを貼り合わせた平面視略正方形状をなし、直角プリズム同士を貼り合わせた界面には、Ｘ字状に交差する一対の誘電体多層膜７１、７２が形成されている。一方の第１誘電体多層膜７１は、青光ＬＢを反射し、他方の第２誘電体多層膜７２は、赤光ＬＲを反射する。クロスダイクロイックプリズム７０は、液晶ライトバルブ６０ｂからの青光ＬＢを誘電体多層膜７１で反射して進行方向右側に射出させ、液晶ライトバルブ６０ｇからの緑光ＬＧを誘電体多層膜７１、７２を介して直進・射出させ、液晶ライトバルブ６０ｒからの赤光ＬＲを誘電体多層膜７２で反射して進行方向左側に射出させる。このようにして、クロスダイクロイックプリズム７０により青光ＬＢ、緑光ＬＧ及び赤光ＬＲが合成され、カラー画像による画像光である合成光が形成される。
【００２４】
投射レンズ８０は、クロスダイクロイックプリズム７０を経て形成された合成光による画像光を所望の拡大率で拡大してスクリーンＳＣ上にカラーの画像を投射する。
【００２５】
制御装置５０は、プロジェクタ１０の機構を統括して制御する制御手段であり、例えば、外部装置等から画像信号等の各種信号を受け取り、これに応じてプロジェクタ１０による画像表示のための信号処理を行う。また、制御装置５０は、色覚障害を判別する色覚判別用のパターン画像を表示させるための信号処理を行う色覚判別手段としても機能する。さらに、制御装置５０は、当該色覚判別により確定した色覚異常者支援モードや予め設定された色覚異常者支援モードに対応して投影すべき画像の画像変換処理を行う色変換手段としても機能する（以上について、いずれも詳しくは後述する）。制御装置５０は、処理した画像信号及び駆動信号等の各種信号を液晶ライトバルブ６０ｂ、６０ｇ、６０ｒに送信する。
【００２６】
リモートコントローラ９０は、使用者がプロジェクタ１０の投影の際に行う指示命令を遠隔操作により制御装置５０に送信するための信号送信手段である。
【００２７】
図２は、制御装置５０及びリモートコントローラ９０による画像表示の制御について説明するためのブロック図である。
【００２８】
まず、制御装置５０は、主制御部５１と、画像処理部５２と、受信装置５３と、記憶部５４と、色変換データ格納部５５と、ライトバルブ駆動部５６とを備える。主制御部５１は、制御装置５０内の動作を統括的に制御するものであり、例えばマイクロコンピュータ等により構成される。画像処理部５２は、ビデオ信号等の外部画像信号が入力されると、これに応じて主制御部５１からの指令に基づいた各種画像処理を行う。受信装置５３は、リモートコントローラ９０からの指令信号を受け取り、主制御部５１へ送信する。記憶部５４は、ＲＯＭ、ＲＡＭ、不揮発メモリ等によって構成されており、プログラムデータ等各種情報が記憶されているとともに、本体動作において一時的に記憶される情報の書き換え等を行う。特に、記憶部５４は、判別モードデータ格納部５４ａを内蔵する。色覚判別データ格納部５４ａは、色覚判別を行う際に、色覚障害の有無を判別し、投影すべき画像の判別モードを確定するために必要となる図１のスクリーンＳＣ上に投影するパターン画像についての情報が格納されている。色変換データ格納部５５は、投影されるべき画像を判別モードの判別結果によって設定される色覚異常者支援モードに応じた画像に切り替える変換である色変換を行うために必要となる画像情報の変換データを格納する。尚、色覚判別の具体的な方法についての詳細は後述する。ライトバルブ駆動部５６は、画像処理部５２により処理された画像信号及び駆動信号を電気的信号として図１の液晶ライトバルブ６０ｂ、６０ｇ、６０ｒに送信する。
【００２９】
次に、リモートコントローラ９０は、判別モードスイッチ９１と、色変換操作部９２と、送信装置９３とを備える。判別モードスイッチ９１は、色覚判別についてパターン画像上に表示される指示に応じて使用者が自己の意思表示を示すためのスイッチであり、色覚判別を行うか否かの決定や、色覚判別による判別結果に応じて選択される判別モードの結果を確定するために用いる。色変換操作部９２は、例えば、使用者が自己に適する判別モードを既に知っており色覚判別が不要な場合等、色覚判別を行う必要のないときに、色覚異常者支援モードによる色変換を使用者が自ら設定するための操作部である。判別モードスイッチ９１及び色変換操作部９２による信号は、いずれも送信装置９３を介して使用者の意思表示である指令信号を制御装置５０に送信される。
【００３０】
図３は、プロジェクタ１０の動作について説明するためのフローチャートである。以下、図３等により本実施形態に係る色覚判別の方法についての一例を説明する。
【００３１】
まず、図１のプロジェクタ１０を起動させると、制御装置５０内での信号処理により、スクリーンＳＣ上に画像が表示される。この際、表示される画像は、初期モード（通常のモード）、或いはそれまでの使用等により何らかの表示モードの設定がなされている場合には該当する既定値での色覚異常者支援モードによる表示となる（ステップＳ１）。当該表示には、いずれのモードによるかの補助表示（例えば、「色覚異常者支援モード○○で表示しています」、「通常モードで表示しています」等。）が示されており、使用者は、この補助表示を参考にして色覚判別の必要があるか否かを判断し、図２のリモートコントローラ９０の判別モードスイッチ９１を操作して、色覚判別を行うか否かを決定する（ステップＳ２）。
【００３２】
制御装置５０の主制御部５１は、判別モードスイッチ９１の操作により色覚判別を行う旨の信号を、受信装置５３を介して受信すると、これに応じて、色覚判別のためのパターン画像の表示処理を行う。つまり、まず、主制御部５１は、色覚判別データ格納部５４ａに色覚判別のためのパターン画像の情報を取り出す旨の信号を送信する。これに応じて、色覚判別データ格納部５４ａは、主制御部５１からの指令に応じて当該情報を提供する。次に、主制御部５１は、画像処理部５２に色覚判別のためのパターン画像の表示を行う処理を命令する。画像処理部５２は、この命令に従って、パターン画像を表示するための情報を、ライトバルブ駆動部５６を介して、図１の液晶ライトバルブ６０ｂ、６０ｇ、６０ｒに画像信号及び駆動信号を電気的信号として送信する。以上により、図１のスクリーンＳＣ上に色覚判別のためのパターン画像が表示される（ステップＳ３）。
【００３３】
スクリーンＳＣ上に表示された色覚判別のためのパターン画像に従って、使用者が図２のリモートコントローラ９０の判別モードスイッチ９１を操作することにより、使用者の色覚障害の有無や、さらに必要に応じて色覚障害の種別が判別される。これにより、使用者の色覚障害があると確認された場合には、対応する色覚異常者支援モードが記憶部５４に記憶されることで確定する（ステップＳ４）。
【００３４】
ステップＳ４において、使用者の色覚障害があると確認された場合、画像処理部５２は、当該色覚異常者用の色変換を行った画像を表示する色覚異常者支援モードに適応する画像情報の変換データを色変換データ格納部５５から読み出し、当該変換データに従って、通常投影されるべき画像から当該判別モードに応じた画像に切り替える色変換処理を行う（ステップＳ５）。これにより、画像信号及び駆動信号は、色変換の処理がなされた上でライトバルブ駆動部５６により液晶ライトバルブ６０ｂ、６０ｇ、６０ｒに電気的信号として送信される。従って、この場合の投影画像は、当該色覚異常者に適した色彩調整がなされたものとなる（ステップＳ６）。つまり、制御装置５０は、色覚判別により確定した判別モード（上記ステップＳ５の場合、色覚異常者支援モードが相当。）に対応して投影すべき画像の画像変換処理を行う色変換手段として光変調装置である液晶ライトバルブ６０ｂ、６０ｇ、６０ｒを駆動するための信号に対して信号処理を施し、これによってスクリーンＳＣ上の色彩調整がなされる。これに対し、ステップＳ４において、使用者の色覚障害がないものとして確定している場合、即ち確定した判別モードが通常モードである場合には、色変換処理により色彩調整がなされることなく通常の投影画像がそのまま投影される。
【００３５】
尚、ステップＳ２において、使用者の判別モードスイッチ９１の操作により色覚判別を行わない旨の信号が送信されると、主制御部５１は、これに応じて使用者に該当する色覚異常者支援モードを決定させるための指示メッセージ（例えば、「表示するモードを設定してください」等。）を表示する画像表示処理を行う。使用者が、これに応じてリモートコントローラ９０の色変換操作部９２を操作し、自己に適合する色覚異常者支援モードを選択することにより色覚異常者支援モードが確定し（ステップＳ７）、当該色覚異常者支援モードに対応する色変換による画像投影が行われる（ステップＳ６）。
【００３６】
図４は、色覚判別のためのパターン画像の一例について説明するための図であり、図１のスクリーンＳＣ上に表示されたパターン画像を示している。尚、以下では、簡単な例として、複数種の色覚障害のうち、第１色覚障害が有るか否かの判別だけをもって色覚障害を判別するものとして説明する。色覚障害の種別等についても判別が必要な場合には、例えば、色覚判別のためのパターン画像をいくつか設けること等により複数種の判別が可能である。
【００３７】
図３のステップＳ３において、図１のスクリーンＳＣ上に表示されるパターン画像としては、例えば、図４のように２つの領域により「Ｈ」の文字を構成する文字パターンＧ１と文字パターンＧ１の背景画像Ｇ２にとより構成されるものが考えられる。ここで、文字パターンＧ１の領域と背景画像Ｇ２の領域とは境界線によらず、色分けにより区別がされているが、当該色分けは、非色覚異常者つまり色覚異常でない者のみが色の違いを識別可能な配色となっている。例えば、当該色分けの配色としては、一方を黄色、他方を黄緑とするものが考えられる。
【００３８】
ここで、「Ｈ」の文字を使用者が認識しているか否かを確認する方法としては種々考えられるが、例えば、背景画像Ｇ２の一部に非色覚異常者にのみ認識可能な文字列で、画面中央に「Ｈ」の文字が見えれば判別モードスイッチ９１を押すよう指示する旨のメッセージを表示してもよい。
【００３９】
このようにして、使用者が「Ｈ」の文字を認識可能であれば、色覚異常でないと判断し、認識できない場合には、色覚障害が有ると判断することで、色覚判別を行うものとする。つまり、この場合、「Ｈ」の文字の認識可能であれば色変換処理は行われず、通常の画像投影が行われる。逆に、使用者が「Ｈ」の文字を認識できない場合には、色覚障害が有るとして色覚障害用の色変換がなされた画像が投影される。
【００４０】
尚、これとは逆に、色覚異常者のみ識別可能なパターン画像を用いても逆の要領で色覚障害の有無を判別できる。この場合の当該色分けの配色としては、例えば一方を緑、他方を青緑とするものが考えられる。
【００４１】
図５は、色覚判別のためのパターン画像の他の一例について説明するための図である。尚、特に説明する箇所を除き、図４のパターン画像と同様であるものとし、各要素についての説明を省略する。
【００４２】
図４では、文字パターンＧ１である「Ｈ」の文字は静止した状態であるが、図５では、「Ｈ」を図中矢印方向（紙面右から左）にスクロールさせる。これにより、所謂尾引き現象が生じ、文字の進行方向と反対側に影ＳＨが発生する。この場合、色覚異常でない者にとっては、「Ｈ」の文字とともに影ＳＨが認識される。一方、色覚異常者には、尾引き現象のため、文字パターンＧ１、背景画像Ｇ２のいずれとも異なる色彩として表示される影ＳＨのみが認識される。ここで、影ＳＨの形状は、「｜｜」のように認識される。これは、文字パターンＧ１が、２つの領域により「Ｈ」の文字を構成されていることにより生じる。より詳しく説明すると、「Ｈ」の文字のうち、左側の縦棒の部分と、それ以外の部分とがわずかに離間して２つの領域となっているためである。これにより、色覚異常者にとっては影ＳＨの部分だけが「｜｜」のように認識されると考えられる。このように、色覚異常者と非色覚異常者とで異なる見え方になることを利用して色覚判別を行うことも可能である。
【００４３】
以上において、色覚判別のためのパターン画像の例を挙げることにより、色変換のための判別モードを確定させための動作に説明したが、以下では、色覚異常者支援モードに対応する色変換の方法について一例を挙げて説明する。このため、まず、第１色覚障害による色覚異常者の特性について説明する。
【００４４】
図６は、赤色受光器が欠如している第１色覚障害による色覚異常者の混同色線を示す色度図である。ここで、第１色覚障害は、長波長側の視物質である赤色受光器に異常があるため、「赤」が暗く感じられる。第１色覚障害の場合、例えば、黄色と黄緑とがほとんど同じような色に見える。このように色覚異常によりほとんど区別できず同じ色に見える色を混同色と呼ぶ。混同色によって色度図上に構成される直線を図６上では混同色線ＣＬとする。つまり、第１色覚障害のある色覚異常者にとって、図６における同一の混同色線ＣＬ上にある色の識別ができない、ということになる。
【００４５】
以上から、本実施形態では、第１色覚障害による色覚異常者が識別可能となるような画像投影となるように、図６の混同色線ＣＬを基準として、投影画面上で隣接する２色を離隔するような色変換を一例として挙げ、説明する。尚、各混同色線ＣＬの交点は、基本原色の色座標を指し、これを交点Ｐとする。図６では、交点Ｐのｘｙ座標は、（ｘ，ｙ）＝（０．７４７，０．２５３）であることが知られている。
【００４６】
図７（ａ）、（ｂ）、（ｃ）は、本実施形態に係る色変換の方法の一例について説明するための模式図である。まず、図７（ａ）において、点Ａ、Ｂは、異なる２色についての色度図上の色座標を示す点であり、例えば、図４のスクリーンＳＣ上での文字パターンＧ１と背景画像Ｇ２とを色分けする場合のように、隣接する領域を占めることで当該領域を色分けする異なる２色に対応する。これら異なる２色の色座標上の点Ａ、Ｂと交点Ｐとを結び、角ＡＰＢを構成する。
【００４７】
次に、図７（ｂ）のように、角ＡＰＢの二等分線ＭＬを引き、色座標上の点Ａ、Ｂから二等分線ＭＬまでの距離をそれぞれ距離ｍ、ｎとする。この場合、二等分線ＭＬは、交点Ｐを通る直線であるから混同色線ＣＬのうちから特定された一つとなっている。つまり、二等分線ＭＬ上或いはその近傍に対応する色の識別が第１色覚障害による色覚異常者にとっては困難であると考えられる。これに対し、距離ｍ、ｎは、二等分線ＭＬからの距離であるから、二等分線ＭＬを基準として、点Ａと点Ｂとの離隔の程度を示しており、色覚異常者が識別可能であると判定するための指標となる。
【００４８】
以上のことから、点Ａと点Ｂとに対応する色の差異が色覚異常者に識別可能であると判定するための基準を距離ｍ、ｎの和である基準距離ｍ＋ｎにより定める。つまり、基準距離ｍ＋ｎが十分大きな値であれば、色覚異常者が識別可能であり、色変換を行う必要がなく、基準距離ｍ＋ｎの値が小さければ、大きなものとなるように点Ａと点Ｂの位置座標をシフトさせる。つまり、色座標の変換を行う。
【００４９】
より具体的には、識別可能であるために十分であるとする所定の閾値Ｓを予め定めておき、任意の２色についての基準距離ｍ＋ｎの値が閾値Ｓ以上である場合には、点Ａ・点Ｂに対応する２色は当該色覚異常者にとって識別可能であるものとし、点Ａ、点Ｂ色座標の変換は行わないものとする。
【００５０】
逆に、基準距離ｍ＋ｎの値が閾値Ｓ未満である場合には、対応する２色は識別可能ではないと判断し、色座標の変換を行う。この場合、図７（ｃ）のように、点Ａ、点Ｂのうち一方（或いは双方）の位置座標を、二等分線ＭＬに対して垂直な方向にシフトさせ、２点間の距離を大きくする。２点をシフトさせた点Ａ′、点Ｂ′の位置を変換された新たに新規色座標とする。この際、シフトの量を調整することにより、新たな基準距離ｍ′＋ｎ′がｍ′＋ｎ′＝Ｓとなるように座標変換を行う。以上により設定された点Ａ′、点Ｂ′に対応する色を、もとの色の情報から色変換された色の情報として扱う。尚、特に、基準距離ｍ＋ｎがｍ＋ｎ＝０、即ち、点Ａ、点Ｂ及び点Ｐが一直線上にあるときにも、同様の変換が可能であるが、この場合は、例えば、点Ａあるいは点Ｂのいずれかを当該直線から垂直にちょうど閾値Ｓの分だけシフトさせることとすればよい。
【００５１】
ここで、閾値Ｓの定め方としては、例えば、一定値であってもよいが、色度座標に依存する関数Ｓ＝Ｓ（ｘ，ｙ）等であってもよく必ずしも全色度において一定値でなくてもよい。また、例えば、当該色覚異常者を対象とした各色度での識別の可否の度合いを実測してデータを取り、これに基づいて閾値Ｓを定めてもよい。
【００５２】
以上のように色座標の変換を定めると、任意の異なる２色についての色座標の変換に対応する色変換テーブルが作成可能となる。この色変換テーブルを変換データとして図２の色変換データ格納部５５が格納することで、所望の画像の切り替えを行うことができる。つまり、この色座標の変換を実行することにより、第１色覚障害による色覚異常者の識別可能性に対応した色変換が可能となる。
【００５３】
図８（ａ）、（ｂ）は、第２及び第３色覚障害による色覚異常者の混同色線を示す色度図である。つまり、図８（ａ）、（ｂ）は、緑あるいは青色受光器の欠如により発生する色覚障害での色度図上に構成される混同色線ＣＬを示す。
【００５４】
図４等を用いた色覚判別の方法についての説明では、簡単のため、第１色覚障害が有るか否かの判別だけをもって色覚障害を判別するものとしたが、図３のステップＳ３での色覚判別処理において、例えば、図４のようなパターン画像を複数設けること等により、さらに詳しく第２及び第３色覚障害といった色覚障害の種別による判別も可能である。つまり、第２及び第３色覚障害にとって識別ができないパターン画像を先と同様に用意して設定すればよい。
【００５５】
第２あるいは第３色覚障害による色覚異常と判別された場合にも、図６及び図７によって説明した第１色覚障害による色覚異常者が識別可能となるような色変換と同様の変換を、図８（ａ）、（ｂ）を基準として定めることにより対応可能である。尚、図８（ａ）の場合、基本原色の色座標のｘｙ座標は、（ｘ，ｙ）＝（１．０８１，−０．０８１）であり、図８（ｂ）の場合、基本原色の色座標のｘｙ座標は、（ｘ，ｙ）＝（０．１８０，０．０００）であることが知られている。これにより、色覚異常者の色情報欠損の種別に対応させて色彩調整を行うことができる。
【００５６】
以上本実施形態に即して説明を行ったが、本願発明は上記の態様には限られない。例えば、本実施形態では、使用者は、リモートコントローラ９０による遠隔操作で投影の際の指示命令を出していたが、リモートコントローラ９０の機能を有する操作部をプロジェクタ１０本体の一部に設けることとしてもよい。
【００５７】
また、図４、図５において表示するパターン表示は「Ｈ」に限らず種々の文字や模様等から選択できるような態様であってもよい。より具体的には、例えば、種々の文字から選択できる選択指示装置を設け、選択された文字を図２の記憶部５４が一時記憶し、これをパターン表示として用いる態様が考えられる。本実施形態の説明では、図１のプロジェクタ１０の使用者について特定して説明していないが、この態様での使用の一例としては、例えば、プロジェクタ１０の使用者について、色覚判別の被験者とは別に第三者がさらに存在し、第三者が被験者の色覚判別を行う場合が想定できる。つまり、この場合、当該選択指示装置により第三者が種々の文字等から一つを選び、選ばれた文字等を被験者に答えさせることで、被験者が識別異常であるか否かを第三者により客観的に判断することができる。
【００５８】
また、上述のような態様のさらなる変形例として、プロジェクタ１０が色覚異常者のみ識別可能なパターン画像を表示できるものとし、これを利用して色覚判別を行う場合も考えられる。より具体的には、例えば、先と同様に、第三者が種々の文字等から一つを選び、選ばれた文字等を被験者に答えさせるものとする。この際、パターン画像の配色としては、例えば、緑と青緑のように青色を用いる。色覚異常者の大半を占める第１及び第２色覚障害による色覚異常者は、青色への感度が色覚異常でない者よりも敏感に緑と青緑との差異を捉えることができる。従って、緑と青緑の差を、色覚異常でない者には区別がつかないが、色覚異常者には識別できるような設定とすることにより、被験者が識別異常であるか否かを第三者のみが認識できる。
【００５９】
この態様の具体的な使用例としては、例えば、色覚異常でない者が色覚異常であると見せかけるために虚偽の陳述をした疑いがある場合が考えられ、このような場合に、被験者の陳述が虚偽であるか否かを第三者によって見抜くことができる。尚、この他にも、色覚異常者は、明度や彩度の差に対しても敏感な識別力を有するので明度・彩度の差により同様のことが可能である。
【００６０】
また、本実施形態では、色変換の方法を、基準距離ｍ＋ｎと閾値Ｓとを比較することにより定めたが、色覚異常者が識別可能な色変換であればこれに限らず様々な色変換が可能である。また、色変換及びこれに対応する色覚異常者支援モードの種類を、色覚異常の種別だけでなく、さらに色弱の度合いを考慮して詳細に分けることも考えられる。
【００６１】
また、上記実施形態のプロジェクタ１０では、光源装置２０として高圧水銀ランプを用いているが、高圧水銀ランプの代わりに、メタルハライドランプ等他のランプを用いることもできる。また、この他にも、光源として、ＬＥＤ等を用いることも可能であり、色ごとに別光源を用いる場合には、色覚異常者支援モードの色彩調整において光源側を制御することも考えられる。
【００６２】
また、上記プロジェクタ１０において、光源装置２０からの光を複数の部分光束に分割するため、一対のフライアイレンズである第１、第２フライアイレンズ３１、３２を用いていたが、この発明は、このようなフライアイレンズすなわちレンズアレイを用いないプロジェクタにも適用可能である。さらに、フライアイレンズ３１、３２をロッドインテグレータに置き換えることもできる。
【００６３】
また、上記プロジェクタ１０において、光源装置２０からの光を特定方向の偏光とする偏光変換素子３４を用いていたが、この発明は、このような偏光変換素子３４を用いないプロジェクタにも適用可能である。
【００６４】
また、上記実施形態では、透過型のプロジェクタに本発明を適用した場合の例について説明したが、本発明は、反射型プロジェクタにも適用することが可能である。ここで、「透過型」とは、液晶パネル等を含むライトバルブが光を透過するタイプであることを意味しており、「反射型」とは、ライトバルブが光を反射するタイプであることを意味している。反射型プロジェクタの場合、ライトバルブは液晶パネルのみによって構成することが可能であり、一対の偏光板は不要である。尚、光変調装置は液晶パネル等に限られず、例えばマイクロミラーを用いた光変調装置であってもよい。
【００６５】
また、プロジェクタとしては、投写面を観察する方向から画像投写を行う前面プロジェクタと、投写面を観察する方向とは反対側から画像投写を行う背面プロジェクタとがあるが、図１に示すプロジェクタの構成は、いずれにも適用可能である。
【図面の簡単な説明】
【００６６】
【図１】第１実施形態に係るプロジェクタを説明するための概念図である。
【図２】第１実施形態に係るプロジェクタの制御装置を説明するためのブロック図である。
【図３】第１実施形態に係るプロジェクタの動作について説明するためのフローチャートである。
【図４】色覚判別のためのパターン画像の一例について説明するための図である。
【図５】色覚判別のためのパターン画像の他の一例について説明するための図である。
【図６】第１色覚障害による色覚異常者の混同色線を示す色度図である。
【図７】（ａ）、（ｂ）、（ｃ）は、色変換の方法の一例について説明するための模式図である。
【図８】（ａ）、（ｂ）は、第２及び第３色覚障害による色覚異常者の混同色線を示す色度図である。
【符号の説明】
【００６７】
１０…プロジェクタ、  ２０…光源装置、  ３０…照明光学系、  ４０…色分離光学系、  ６０…光変調装置、  ７０…クロスダイクロイックプリズム、  ８０…投射光学系、  ５０…制御装置、  ９０…リモートコントローラ９０、  ５１…主制御部、  ５２…画像処理部、  ５３…受信装置、  ５４…記憶部、  ５４ａ…色覚判別データ格納部、  ５５…色変換データ格納部、  ５６…ライトバルブ駆動部、  ９１…判別モードスイッチ、  ９２…色変換操作部
【図１】
2008042517.tif 000003
【図２】
2008042517.tif 000004
【図３】
2008042517.tif 000005
【図４】
2008042517.tif 000006
【図５】
2008042517.tif 000007
【図６】
2008042517.tif 000008
【図７】
2008042517.tif 000009
【図８】
2008042517.tif 000010